(57)【要約】【課題】  装置を小型化することができ、また業務効率を向上させることができる媒体及び該媒体取扱装置を提供する。【解決手段】  所有者が所持品として携帯する媒体である通帳１１に、可視情報の消去及び印刷が可能な情報表示部１３を設ける。媒体を取り扱う媒体取扱装置においては、所有者が所持品として携帯する媒体である通帳１１に設けられた情報表示部１３に対して可視情報の消去及び印刷を行う情報書き換え部を備え、装置内へと挿入された通帳１１の情報表示部１３に対して、情報書き換え部により、既に印刷されている可視情報の消去及び新たな可視情報の印刷を行い、通帳１１を装置外へと排出する。【選択図】        図１
2004291633.tif 000002
【特許請求の範囲】
【請求項１】
所有者の所持品として携帯される媒体において、
可視情報の消去及び印刷が可能な情報表示部を設けたことを特徴とする媒体。
【請求項２】
前記媒体は通帳である請求項１記載の媒体。
【請求項３】
前記媒体はキャッシュカードである請求項１記載の媒体。
【請求項４】
前記情報表示部には、可視情報として前記キャッシュカードに対応する口座の取引情報が印刷される請求項３記載の媒体。
【請求項５】
所有者が所持品として携帯する媒体に設けられた、可視情報の消去及び印刷が可能な情報表示部に対して、可視情報の消去及び印刷を行う情報書き換え部を備え、
装置内へと挿入された前記媒体の前記情報表示部に対して、前記情報書き換え部により、既に印刷されている可視情報の消去及び新たな可視情報の印刷を行い、前記媒体を装置外へと排出することを特徴とする媒体取扱装置。
【請求項６】
前記媒体は、キャッシュカード及び通帳であり、
前記情報書き換え部は、前記キャッシュカードに設けられた前記情報表示部に対して可視情報の消去及び印刷を行う第１の情報書き換え部と、前記通帳に設けられた前記情報表示部に対して可視情報の消去及び印刷を行う第２の情報書き換え部とから構成される請求項５記載の媒体取扱装置。
【請求項７】
前記媒体は、キャッシュカードであり、
前記情報書き換え部は、前記キャッシュカードに設けられた前記情報表示部に対して可視情報として前記キャッシュカードに対応する口座の取引情報を印刷する請求項５記載の媒体取扱装置。
【発明の詳細な説明】
【技術分野】
【０００１】
本発明は、媒体及び該媒体を取り扱う媒体取扱装置に関する。
【背景技術】
【０００２】
従来、郵便局、銀行、その他窓口業務を遂行する店舗においては、顧客の整理用として顧客受付端末から受付番号の付与された受付カードを発行して顧客に渡している場合がある。
このような顧客受付端末を備えた店舗においては、来店した客は、顧客受付端末から受付番号や受付日等の必要な情報が記録された受付カードを受取り、受付番号が呼び出されるまで後部シートに座る等して待機する。これにより顧客は窓口の前に列を作ることなく、順番を待つことができる。
【０００３】
そして窓口で受付番号が呼ばれると、待機していた顧客は窓口に行き、手続きを行い、受付カードは窓口にて回収し保管する。
なお、受付番号や受付日等の必要な情報を受付カードの情報表示部にサーマルヘッド等の加熱記録装置を用いて記録し、また同じ装置を用いて記録を消去して再記録を行うという書き換え、情報の更新が可能となっている受付カードもある（例えば、特許文献１参照。）。
【０００４】
また、各種金融機関等に設置される自動取引装置において、顧客がキャッシュカードを使用して入金、及び出金取引を行う場合には、顧客によりキャッシュカードが自動取引装置内に挿入され、その後入金、あるいは出金取引が行われる。そして取引完了時に前記キャッシュカードと一緒に今回の取引情報（取引種類、取引金額、取引残高等）が印刷されたレシートをレシート発行部から発行している。また、顧客がキャッシュカードを使用して残高照会をする場合には、顧客によりキャッシュカードが自動取引装置内に挿入され、その後自動取引装置側では該挿入されたキャッシュカードに対応した口座の残高を操作・表示部に表示するか、あるいはレシート発行部から前記キャッシュカードと一緒に残高が印刷されたレシートを発行している。
【０００５】
このように、従来、出金取引時に、出金取引成立の場合、カードの返却とともに取引内容を印字したレシートを発行し、接客部のシャッタを開いて顧客がその接客部内の現金を取り出せるようにする自動取引装置がある（例えば、特許文献２参照。）。
【特許文献１】特開平７−０８９２６４号公報
【特許文献２】特開平１１−２１３２４６号公報
【発明の開示】
【発明が解決しようとする課題】
【０００６】
上記従来の顧客受付端末においては、受付カードを装置内から排出して発行するので、装置内に受付カードを収納させておくための収納部を備える必要があり、その結果、装置が大型化するという問題点や、受付カードの残量を監視する必要性があるという問題点があった。
また上記従来の自動取引装置においては、顧客が取引後に最新の残高を確認するためには、取引の都度発行されるレシートを別途保存しておく必要性がある。また、レシートは自動取引装置内から発行されるので、自動取引装置内にレシートを常に補充しておく必要性や、レシートの残量を監視する必要性があるという問題点があった。
【０００７】
また、残高照会等であって取引後にレシートを発行しない場合には、操作・表示部に表示された残高を顧客が覚えておくか、あるいは別途残高が記帳された通帳を見る必要があり、この場合には、残高を忘れてしまったり、通帳に最新の取引を記帳していないと、最新の残高を確認することができないという問題点があった。
【課題を解決するための手段】
【０００８】
上記課題を解決するために本発明で設けた解決手段は、所有者の所持品として携帯される媒体において、可視情報の消去及び印刷が可能な情報表示部を設けたものである。
【発明の効果】
【０００９】
本発明によれば、所有者が所持品として携帯する媒体に、可視情報の消去及び印刷が可能な情報表示部を設けたことにより、該情報表示部に必要な情報を印刷することができるので、装置内に前記情報表示部が設けられたカードを収納させておくための収納部を備える必要がなくなる。その結果、装置を小型化することができる。また業務効率を向上させることができる。
【発明を実施するための最良の形態】
【００１０】
以下、本発明の実施例を図面に従って説明する。なお各図面に共通する要素には同一の符号を付す。
【実施例１】
【００１１】
図１は実施例１の通帳を示す正面図、図２は実施例１の顧客受付端末を示す正面図、図３は実施例１の顧客受付端末システムを示す説明図、図４は実施例１の通帳を示す背面図、図５は実施例１のキャッシュカードを示す正面図である。
始めに顧客受付端末の構成について説明する。
図２、図３において、郵便局、銀行等窓口業務を行う店舗には媒体取扱装置である顧客受付端末１が設置されている。この顧客受付端末１には、タッチパネルで構成され、顧客に知らせたい情報を画面に表示すると共に、該画面から情報の入力も可能な表示入力部２と、後述するカードに形成された磁気ストライプ部から、該磁気ストライプ部に記録された顧客データを読み取る機能を備えたカード磁気ストライプ読取部３と、該カード磁気ストライプ読取部３に接続され、カードに設けられた後述する情報表示部に既に印刷されている情報を消去する機能と、新たな情報を情報表示部に印刷し表示させることが可能な機能とを備えた第１の情報書き換え部であるリライトプリンタ４と、前記カード磁気ストライプ読取部３に接続され、顧客から装置内へと挿入されるカードを受け入れると共に、顧客へとカードを排出するカード挿入排出口５とが設けられている。
【００１２】
また顧客受付端末１には、後述する通帳に形成された磁気ストライプ部から、該磁気ストライプ部に記録された顧客データを読み取る機能を備えた通帳磁気ストライプ読取部６と、該通帳磁気ストライプ読取部６に接続され、通帳に設けられた後述する情報表示部に既に印刷されている情報を消去する機能と、新たな情報を情報表示部に印刷し表示させることが可能な機能とを備えた第２の情報書き換え部であるリライトプリンタ７と、前記通帳磁気ストライプ読取部６に接続され、顧客から装置内へと挿入される通帳を受け入れると共に、顧客へと通帳を排出する通帳挿入排出口８とが設けられている。
【００１３】
従って、カード挿入排出口５から装置内に挿入されたカードには、カード磁気ストライプ読取部３での処理、及びリライトプリンタ４での処理の両方の処理が実行され、また通帳挿入排出口８から装置内に挿入された通帳には、通帳磁気ストライプ読取部６での処理、及びリライトプリンタ７での処理の両方の処理が実行される。
顧客受付端末１には更に、顧客受付端末１全体に電力を供給する電源部９と、顧客受付端末１全体を制御する制御部１０とが設けられている。
【００１４】
また顧客受付端末１は通信回線１７を介して顧客データベース１８と接続されており、該顧客データベース１８は通信回線１９を介して前記顧客受付端末１が設置されている店舗と同じ店舗内に設置されている窓口端末２０と接続されている。なお、前記顧客データベース１８は個人情報を格納していると共に、受付番号を採番し、該受付番号を顧客受付端末１、及び窓口端末２０に送信する。
【００１５】
そして顧客受付端末１と、顧客データベース１８と、窓口端末２０とにより顧客受付端末システムが構成されている。
次に顧客受付端末１で使用される媒体について説明する。なお顧客である所有者が携帯する媒体として、ここでは通帳、及び出金あるいは入金等に利用されるキャッシュカードとして説明する。
【００１６】
図１、図４において、通帳１１の表面１１ａには、銀行名と通帳１１の所有者の名前と口座番号とが印刷されている、破線で示す印刷領域２４が形成され、裏面１１ｂには顧客データが磁気データとして記録されている磁気ストライプ部１２が形成されている。そして通帳１１の表面１１ａと裏面１１ｂには、印刷領域２４、及び磁気ストライプ部１２と重ならない場所に、熱により可視情報の書き換え（消去及び印刷）が可能な情報表示部１３が形成されている。
【００１７】
また図５に示すように、キャッシュカード１４の表面１４ａには所有者の名前と口座番号とがエンボスにより形成されている、破線で示すエンボス領域２３と、顧客データが磁気データとして記録されている磁気ストライプ部１５とが形成されている。そしてこれらエンボス領域２３、及び磁気ストライプ部１５と重ならない場所に、熱により可視情報の書き換え（消去及び印刷）が可能な情報表示部１６が形成されている。
【００１８】
なお、前記情報表示部１３、１６は、裏面に接着剤が塗布された状態で通帳１１あるいはキャッシュカード１４上に載置され、その状態で表面側から圧接されることで通帳１１あるいはキャッシュカード１４に接着する。また、情報表示部１３は通帳１１の表面１１ａのみ、あるいは裏面１１ｂのみに設けても良い。またキャッシュカード１４においても、情報表示部１６をキャッシュカード１４の表面１４ａと裏面の両方に設ける、あるいは裏面のみに設けるようにしても良い。
【００１９】
次に上記構成における通帳１１の情報表示部１３、あるいはキャッシュカード１４の情報表示部１６に受付日、及び受付番号を印刷する動作について説明する。
図１、図２、図３、図４、図５において、郵便局、銀行等窓口業務を行う店舗に来店した顧客は、通帳１１を通帳挿入排出口８から顧客受付端末１内に挿入する、あるいはキャッシュカード１４をカード挿入排出口５から顧客受付端末１内に挿入する。またそれと共に顧客は表示入力部２から自己の用件を入力する。
【００２０】
ここで例えば通帳１１が装置内に挿入されたとすると、制御部１０は図示せぬ搬送ローラを正方向に回転させる制御を行い、通帳１１を通帳磁気ストライプ読取部６の図示せぬ磁気ヘッドへと搬送する。そして磁気ヘッドが通帳１１に形成された磁気ストライプ部１２から、該磁気ストライプ部１２に記録された顧客データを読み取り、該顧客データを制御部１０へと送信する。
【００２１】
制御部１０は通帳磁気ストライプ読取部６から顧客データを受信すると、該顧客データを、通帳１１挿入時に顧客が表示入力部２から入力した用件と共に通信回線１７を介して顧客データベース１８に送信する。顧客データベース１８は、受信した顧客データと用件とから必要な個人情報を検索し、受信した順序で受付番号を付与して前記顧客データと共に個人情報を窓口端末２０へと送信する。またそれと共に、同じ受付番号を顧客データを送信してきた顧客受付端末１に送信する。これにより、顧客受付端末１は通帳１１の情報表示部１３に印刷する受付番号を得ることができる。
【００２２】
顧客受付端末１は顧客データ等を前記顧客データベース１８に送信する処理と共に、図示せぬ搬送ローラの正方向への回転により通帳１１を装置後方へとリライトプリンタ７へと搬送する。また制御部１０は顧客データベース１８から受信した受付番号に受付日を付与してリライトプリンタ７に送信する。そしてリライトプリンタ７では図示せぬサーマルヘッドにより情報表示部１３に既に印刷されている情報（前回の受付日、受付番号）を消去すると共に、制御部１０から受信した受付番号と受付日を、新たに表示すべき情報として情報表示部１３に印刷して書き込む。
【００２３】
印刷が終了したことを示す信号を制御部１０がリライトプリンタ７から受信すると、制御部１０は図示せぬ搬送ローラを逆方向に回転させる制御を行い、通帳挿入排出口８へと通帳１１を搬送し、通帳挿入排出口８から顧客へと通帳１１を排出する。
次に、前記窓口端末２０が顧客データベース１８から受付番号が付与された顧客データと個人情報を受信したときの動作について説明する。
【００２４】
窓口端末２０は顧客データと個人情報を受信すると、表示部２１に顧客データ及び個人情報を表示すると共に、顧客の用件に応じた必要書類の発行を行う。またこの個人情報には受付番号が付与されているので、窓口端末２０を取り扱うオペレータは何番の顧客を呼べばよいのかを認識することができる。そしてオペレータは発行された書類に対応する受付番号の顧客を呼び出す。
【００２５】
なお、顧客データベース１８が複数の店舗の窓口端末２０に接続されている場合、前記受付番号は店舗毎に独立して付与される。
また、通帳１１挿入時に顧客が自己の用件を入力しなかった場合には、顧客受付端末１から顧客データベース１８には顧客データのみが送信され、顧客データベース１８は店舗別に受信した順序に応じた受付番号を顧客受付端末１に送信すると共に、同じ受付番号と顧客データのみを受付端末２０に送信する。従って、窓口端末２０からは顧客の用件に応じた必要書類の発行は行われない。
【００２６】
なお、キャッシュカード１４がカード挿入排出口５から顧客受付端末１内に挿入された場合も、前記通帳１１が顧客受付端末１内に挿入されたときと同様の処理が行われるので、説明は省略する。
以上本発明の実施例１においては、所有者が所持品として携帯する媒体に可視情報の消去及び印刷が可能な情報表示部を設け、該情報表示部に受付番号を印刷するので、顧客受付端末１内に受付カードを収納させておくための収納部を備える必要がなくなり、その結果、装置を小型化することができる。また顧客受付端末１内に受付カードを補充したり、受付カードの残量を監視する必要がなくなるので、業務効率を向上させることができる。
【００２７】
また、通帳１１及びキャッシュカード１４に情報表示部１３、１６を設けることで、同一の通帳１１、あるいはキャッシュカード１４が使用可能な店舗（支店）であれば、他の店舗であっても利用することができる。すなわち、１冊の通帳の情報表示部、あるいは１枚のカードの情報表示部を複数の店舗で利用することができる。
なお、情報表示部１３、１６には受付日と受付番号を印刷することとしているが、それに加えて印刷を行った顧客受付端末が設置されている店舗名もまた印刷するようにしても良い。これにより、複数の店舗で使用可能な通帳１１、キャッシュカード１４において、情報表示部１３、あるいは情報表示部１６に印刷されている受付番号がどの店舗における受付番号なのかを顧客と店舗側のオペレータが認識することができる。
【００２８】
また今回はカードとしてキャッシュカードに情報表示部を設けたが、医療機関に行くときに携帯する、患者データが記録されている診察カードに情報表示部を設けても良い。そして診察カードの情報表示部に受付番号を印刷するようにしても良い。
【実施例２】
【００２９】
次に本発明の実施例２について説明する。なお、上記実施例１と同様な箇所には同一符号を付して説明は省略する。図６は実施例２の自動取引装置を示す斜視図、図７は実施例２の自動取引システムを示す説明図、図８は実施例２のカード処理部の構成を示す説明図である。
始めに自動取引装置の構成について説明する。
【００３０】
図６、図７において、各種金融機関等に設置される媒体取扱装置である自動取引装置３１には、カード処理部３２と、図示せぬ通帳処理部と、紙幣入出金部３５と、図示せぬ硬貨入出金部と、操作・表示部３７と、電源部４２が内蔵されており、これらは全て、主制御部３９により制御されている。
カード処理部３２は、金融機関が発行するキャッシュカードに記憶されている金融機関毎のコードや顧客の口座番号、氏名等の顧客情報を読み出す機能を有しており、このカード処理部３２の前面側に接続されたカード挿入排出口４７からキャッシュカードが挿入されたり排出されたりする。通帳処理部は、通帳挿入排出口４８から挿入される通帳に印字処理等を行うもので、更に記憶情報の読取りや更新を行う手段、印字頁行の検出手段及び改頁手段等を有している。
【００３１】
紙幣入出金部３５は顧客により入金される紙幣を真偽鑑別、計数し、搬送して図示せぬ金種別保管金庫に収納し、又は顧客に支払われる紙幣を金種別保管金庫より繰出すものである。硬貨入出金部は顧客により入金される硬貨を真偽鑑別、計数し、搬送して金種別保管金庫に収納し、又は顧客に支払われる硬貨を金種別保管金庫より繰出すものである。
上記紙幣入出金部３５には顧客が紙幣を投入、又は顧客に紙幣を支払うための接客口４９が結合されている。また硬貨入出金部には顧客が硬貨を投入、又は顧客に硬貨を支払うための接客口５０が結合されている。なお、接客口４９、５０は図示せぬ駆動手段によりそれぞれシャッタが動作して紙幣及び硬貨の挿脱を規制している。タッチパネルで構成されている操作・表示部３７は顧客に知らせたい情報を画面に表示すると共に、該画面から情報の入力も可能となっている。電源部４２は自動取引装置３１全体に電力を供給する。
【００３２】
また自動取引装置３１は通信回線３８を介して上位装置であるホストコンピュータ４３と接続されており、ホストコンピュータ４３は、顧客の口座番号や預貯金残高情報等を記憶している記憶部を有している。
そして自動取引装置３１と、ホストコンピュータ４３とにより自動取引システムが構成されている。
【００３３】
次に前記カード処理部３２の構成について説明する。
図８において、カード処理部３２には、カード挿入排出口４７から装置後方に向かってカード搬送路４６が形成されている。そしてこのカード搬送路４６に沿って、キャッシュカードに形成された磁気ストライプ部から、該磁気ストライプ部に記録された顧客データを読み取る機能を備えたカード磁気ストライプ読取ヘッド４４と、キャッシュカードに設けられた情報表示部に既に印刷されている情報を消去する機能と、新たな情報を情報表示部に印刷し表示させることが可能な機能とを備えた情報書き換え部であるリライトプリンタ４５と、キャッシュカードを正逆方向に搬送する複数の搬送ローラ５１と、該搬送ローラ５１に対向してプレッシャローラ５４が設けられている。なお、リライトプリンタ４５は、キャッシュカードに設けられた情報表示部に調整された熱を与えることにより、該情報表示部に印刷された情報を消去すると共に、情報表示部に新たな情報を印刷するサーマルヘッド５２と、該サーマルヘッド５２に対向して設けられているプラテン５３とから構成されている。
【００３４】
なお、自動取引装置３１で使用される媒体であるキャッシュカードは、実施例１に示されているキャッシュカード１４と同様の構成となっている。すなわち、図５に示すようにエンボス領域２３、及び磁気ストライプ部１５と重ならない場所に、熱により可視情報の書き換え（消去及び印刷）が可能な情報表示部１６が形成されている。
次に上記構成における自動取引装置３１の動作について説明する。なお、今回は顧客がキャッシュカード１４を利用して出金取引を行う場合の動作について説明する。
【００３５】
図６、図７、図８において、顧客が自動取引装置３１の操作・表示部３７に表示されている取引項目の中から「出金」を選択し、キャッシュカード１４をカード挿入排出口４７からカード処理部３２内に挿入する。すると、カード処理部３２は搬送ローラ５１を正方向に回転させる制御を行い、キャッシュカード１４をカード磁気ストライプ読取磁気ヘッド４４へと搬送する。そしてカード磁気ストライプ読取磁気ヘッド４４がキャッシュカード１４に形成された磁気ストライプ部１５から、該磁気ストライプ部１５に記録された顧客データを読み取り、カード処理部３２は該顧客データを主制御部３９へと送信する。
【００３６】
主制御部３９はカード処理部３２から顧客データを受信すると、該顧客データを、顧客が操作・表示部３７から入力した暗証番号と出金金額と共に通信回線３８を介してホストコンピュータ４３に送信する。ホストコンピュータ４３は、顧客データと暗証番号と出金金額を受信すると、記憶部の記憶内容を参照し、支払いに必要な情報を作成し、自動取引装置３１の主制御部３９に送信する。支払い情報を主制御部３９が受信すると、該支払い情報を紙幣入出金部３５、及び硬貨入出金部に送信する。紙幣入出金部３５、及び硬貨入出金部は支払い情報に基づき、それぞれ計数を行い、接客口４９から紙幣を支払うと共に、接客口５０から硬貨を支払う。
【００３７】
また主制御部３９はホストコンピュータ４３から支払い情報を受信すると、カード処理部３２に対して今回の取引情報を送信する。すると、カード処理部３２は、搬送ローラ５１の正方向への回転により保留していたキャッシュカード１４を装置後方へとリライトプリンタ４５へと搬送する。
そしてリライトプリンタ４５ではサーマルヘッド５２により情報表示部１６に既に印刷されている情報（前回の取引情報）を消去すると共に、主制御部３９から受信した取引種類、取引金額、取引残高といった今回の取引情報を、新たに表示すべき情報として情報表示部１６に印刷して書き込む。
【００３８】
情報表示部１６への印刷が終了すると、カード処理部３２は搬送ローラ５１を逆方向に回転させる制御を行い、カード挿入排出口４７へとキャッシュカード１４を搬送し、カード挿入排出口４７から顧客へとキャッシュカード１４を排出する。
主制御部３８は、紙幣入出金部３５、及び硬貨入出金部から支払いが終了したことを示す支払い終了信号を受信し、またカード処理部３２からカード排出終了信号を受信すると、処理を終了とする。
【００３９】
なお、自動取引装置３１にレシート処理部を設けて、レシートは発行せずにキャッシュカード１４の情報表示部１６へ取引情報の印刷を行う、あるいはキャッシュカード１４への取引情報の印刷は行わずにレシートに取引情報を印刷して発行することのいずれかを選択できる画面を操作・表示部３７に表示し、キャッシュカード１４に取引情報を印刷するのは、顧客の要望があったときのみとし、それ以外はレシートへの印刷、及び発行とするようにしても良い。
【００４０】
また、情報表示部１６へは、取引情報に加えて、各種金融機関から顧客へのお知らせ等を印刷しても良い。更に、サーマルヘッド５２を、カード搬送路４６を挟んで上下両方に設けることで、キャッシュカード１４の表面１４ａ側の情報表示部１６と、裏面側の情報表示部の両方に印刷をするようにしても良い。あるいは、表面１４ａ側の情報表示部１６、裏面側の情報表示部のどちらに取引情報を印刷するか、顧客が選択できるようにしても良い。
【００４１】
以上本発明の実施例２においては、キャッシュカードの情報表示部に対して、該キャッシュカードに対応する口座の取引情報を書き換え可能に印刷するので、キャッシュカードで容易に残高等の取引情報の確認をすることができるようになる。従って、顧客がレシートを別途保存しておく必要性がない。また、レシートを発行する必要がなくなるので、自動取引装置内にレシートを常に補充しておく必要性や、レシートの残量を監視する必要性がなくなる。その結果、ランニングコストを削減することや業務効率を向上させることができる。
【図面の簡単な説明】
【００４２】
【図１】実施例１の通帳を示す正面図である。
【図２】実施例１の顧客受付端末を示す正面図である。
【図３】実施例１の顧客受付端末システムを示す説明図である。
【図４】実施例１の通帳を示す背面図である。
【図５】実施例１のキャッシュカードを示す正面図である。
【図６】実施例２の自動取引装置を示す斜視図である。
【図７】実施例２の自動取引システムを示す説明図である。
【図８】実施例２のカード処理部の構成を示す説明図である。
【符号の説明】
【００４３】
１  顧客受付端末
４  リライトプリンタ
７  リライトプリンタ
１１  通帳
１３  情報表示部
１４  キャッシュカード
１６  情報表示部
３１  自動取引装置
３２  カード処理部
４５  リライトプリンタ
【図１】
2004291633.tif 000003
【図２】
2004291633.tif 000004
【図３】
2004291633.tif 000005
【図４】
2004291633.tif 000006
【図５】
2004291633.tif 000007
【図６】
2004291633.tif 000008
【図７】
2004291633.tif 000009
【図８】
2004291633.tif 000010